【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
音声チャットを行う複数の情報処理装置と、
前記情報処理装置が、前記音声チャットの会話の中からキーワードを抽出する際に参照するキーワード抽出データベースと、
前記情報処理装置が、抽出された前記キーワードを用いて当該キーワードおよび当該キーワードに関連する記事を検索する検索エンジンと、
を備え、
少なくとも１つの前記情報処理装置は、
前記会話より生成された音声データから、当該音声データを特徴付けるパラメータを抽出するパラメータ抽出部と、
前記生成された音声データを認識し、前記パラメータおよび前記キーワード抽出データベースに基づいて前記音声データから前記キーワードを抽出するキーワード抽出部と、
抽出した前記キーワードを検索エンジンによって検索し、前記キーワードの検索結果および前記キーワードに関連する記事を取得する情報検索部と、
前記キーワードの検索結果の所在情報と関連付けられた当該キーワードと、前記キーワードに関連する記事の所在情報と関連付けられた当該記事と、をそれぞれ表示する表示部と、
前記抽出されたキーワードをチャットの相手である情報処理装置に送信し、当該チャットの相手である情報処理装置とのキーワードの同期を行うキーワード同期部と、
を備える、音声チャットシステム。
【請求項２】
他の情報処理装置との間で音声チャットを行う情報処理装置であって、
音声チャットでの会話より生成された音声データから、当該音声データを特徴付けるパラメータを抽出するパラメータ抽出部と、
前記生成された音声データを認識し、キーワード抽出データベースおよび前記パラメータに基づいて前記音声データからキーワードを抽出するキーワード抽出部と、
抽出した前記キーワードを検索エンジンによって検索し、前記キーワードの検索結果および前記キーワードに関連する記事を取得する情報検索部と、
前記キーワードおよび前記記事を当該キーワードの検索結果の所在情報および当該記事の所在情報とそれぞれ関連付けて蓄積する検索情報蓄積部と、
を備える、情報処理装置。
【請求項３】
前記情報処理装置は、抽出した前記キーワードをチャットの相手である情報処理装置に送信し、当該チャットの相手である情報処理装置とのキーワードの同期を行うキーワード同期部を更に備える、請求項２に記載の情報処理装置。
【請求項４】
前記情報処理装置は、前記キーワード抽出データベースを記憶するデータベース記憶部を更に備える、請求項２に記載の情報処理装置。
【請求項５】
前記情報処理装置は、前記検索エンジンを当該情報処理装置内に備える、請求項２に記載の情報処理装置。
【請求項６】
前記情報処理装置は、前記キーワードの検索結果の所在情報と関連付けられた当該キーワードと、前記キーワードに関連する記事の所在情報と関連付けられた当該記事とをそれぞれ表示する表示部を更に備える、請求項２に記載の情報処理装置。
【請求項７】
前記情報処理装置は、前記キーワードの参照履歴を記憶する参照履歴記憶部を更に備える、請求項２に記載の情報処理装置。
【請求項８】
前記参照履歴記憶部は、参照した前記キーワードと個々のチャットに付与される識別子とを関連付けて記憶するとともに、前記参照したキーワードとチャット相手とを関連付けて記憶する、請求項７に記載の情報処理装置。
【請求項９】
前記キーワード抽出部は、前記参照履歴の上位に位置するキーワードを優先的に抽出する、請求項８に記載の情報処理装置。
【請求項１０】
前記キーワード抽出部は、前記検索エンジンの上位検索キーワードを優先的に抽出する、請求項２に記載の情報処理装置。
【請求項１１】
コンピュータに、
音声チャットでの会話より生成された音声データから、当該音声データを特徴付けるパラメータを抽出するパラメータ抽出機能と、
前記生成された音声データを認識し、キーワード抽出データベースおよび前記パラメータに基づいて前記音声データからキーワードを抽出するキーワード抽出機能と、
抽出した前記キーワードを検索エンジンによって検索し、前記キーワードの検索結果および前記キーワードに関連する記事を取得する情報検索機能と、
前記キーワードおよび前記記事を当該キーワードの検索結果の所在情報および当該記事の所在情報とそれぞれ関連付けて蓄積する検索情報蓄積機能と、
を実現させるためのプログラム。
【請求項１２】
放送局から送信された放送文字情報を受信する放送文字情報受信部と、
キーワード抽出データベースに基づいて前記放送文字情報からキーワードを抽出するキーワード抽出部と、
抽出した前記キーワードを検索エンジンによって検索し、前記キーワードの検索結果および前記キーワードに関連する記事を取得する情報検索部と、
外部表示装置との接続制御を行い、前記キーワード、前記キーワードの検索結果および前記キーワードに関連する記事を前記外部表示装置へと出力する外部表示装置接続制御部と、
を備える、情報処理装置。
【請求項１３】
前記放送文字情報受信部は、前記情報処理装置に接続された前記外部表示装置から、当該外部表示装置が受信している放送チャンネルに関する受信チャンネル情報と、前記放送チャンネルに対応する前記放送文字情報と、を取得する、請求項１２に記載の情報処理装置。
【請求項１４】
前記放送文字情報受信部は、前記情報処理装置に接続された前記外部表示装置から当該外部表示装置が受信している放送チャンネルに関する受信チャンネル情報を取得するとともに、前記放送局から前記放送チャンネルに対応した前記放送文字情報を取得する、請求項１２に記載の情報処理装置。
【請求項１５】
前記情報処理装置は、前記外部表示装置での前記キーワードの参照履歴を記憶する参照履歴記憶部を更に備え、
前記外部表示装置接続制御部は、前記外部表示装置で選択されたキーワードを、前記検索エンジンに通知する、請求項１２に記載の情報処理装置。
【請求項１６】
前記情報処理装置は、抽出した前記キーワードを他の情報処理装置に送信し、当該他の情報処理装置とのキーワードの同期を行うキーワード同期部を更に備える、請求項１２に記載の情報処理装置。
【請求項１７】
放送局から送信された放送音声情報を受信する放送音声情報受信部と、
前記放送音声情報に含まれる音声データから、当該音声データを特徴付けるパラメータを抽出するパラメータ抽出部と、
前記音声データを認識し、キーワード抽出データベースおよび前記パラメータに基づいて前記音声データからキーワードを抽出するキーワード抽出部と、
抽出した前記キーワードを検索エンジンによって検索し、前記キーワードの検索結果および前記キーワードに関連する記事を取得する情報検索部と、
外部表示装置との接続制御を行い、前記キーワード、前記キーワードの検索結果および前記キーワードに関連する記事を前記外部表示装置へと出力する外部表示装置接続制御部と、
を備える、情報処理装置。
【請求項１８】
前記放送音声情報受信部は、前記情報処理装置に接続された前記外部表示装置から、当該外部表示装置が受信している放送チャンネルに関する受信チャンネル情報と、前記放送チャンネルに対応する前記放送音声情報と、を取得する、請求項１７に記載の情報処理装置。
【請求項１９】
前記情報処理装置は、前記外部表示装置での前記キーワードの参照履歴を記憶する参照履歴記憶部を更に備え、
前記外部表示装置接続制御部は、前記外部表示装置で選択されたキーワードを、前記検索エンジンに通知する、請求項１７に記載の情報処理装置。
【請求項２０】
前記情報処理装置は、抽出した前記キーワードを他の情報処理装置に送信し、当該他の情報処理装置とのキーワードの同期を行うキーワード同期部を更に備える、請求項１７に記載の情報処理装置。